(57)【要約】【課題】干渉の増加によって一定時間所要品質を満足しない移動局が多数存在する状態を検出可能な送信電力制御システムを提供する。【解決手段】移動局を備える移動通信システムにおける基地局が、移動局から受信信号を受信し、受信信号に基づいて基地局における干渉を監視する。基地局は、干渉が増加した場合に、移動局の信号送信電力を減少させる送信電力制御情報を移動局に対して送信する。移動局は、基地局から受信した送信電力制御情報に基づいて送信電力を制御する。【選択図】  図１
2004236354.tif 000002
【特許請求の範囲】
【請求項１】
複数の移動局を備える移動通信システムにおける基地局であって、
前記複数の移動局から受信信号を受信する受信手段と、
前記複数の移動局に対して送信信号を送信する送信手段と、
制御手段と、を備え、
前記制御手段は、前記複数の移動局から受信した受信信号に基づいて前記基地局における干渉を監視し、
前記干渉が増加した場合に、前記複数の移動局の信号送信電力を減少させる送信電力制御情報を生成し、
前記送信手段は、前記複数の移動局に対して前記送信電力制御情報を送信することを特徴とする基地局。
【請求項２】
複数の移動局を備える移動通信システムにおける基地局であって、
前記複数の移動局から受信信号を受信する受信手段と、
前記複数の移動局に対して送信信号を送信する送信手段と、
制御手段と、を備え、
前記制御手段は、前記複数の移動局から受信した受信信号に基づいて前記複数の移動局それぞれに対応する複数の信号対雑音電力比を監視し、
前記複数の信号対雑音電力比が所定の値に満たない場合に、前記複数の移動局の信号送信電力を減少させる送信電力制御情報を生成し、
前記送信手段は、前記複数の移動局に対して前記送信電力制御情報を送信することを特徴とする基地局。
【請求項３】
複数の移動局を備える移動通信システムにおける基地局であって、
前記複数の移動局から受信信号を受信し、
前記複数の移動局に対して送信信号を送信し、
前記複数の移動局から受信した受信信号に基づいて前記基地局における干渉を監視し、
前記干渉が増加した場合に、前記複数の移動局の信号送信電力を減少させる送信電力制御情報を前記複数の移動局に対して送信することを特徴とする基地局。
【請求項４】
複数の移動局を備える移動通信システムにおける基地局であって、
前記複数の移動局から受信信号を受信し、
前記複数の移動局に対して送信信号を送信し、
前記複数の移動局から受信した受信信号に基づいて前記複数の移動局それぞれに対応する複数の信号対雑音電力比を監視し、
前記複数の信号対雑音電力比が所定の値に満たない場合に、前記複数の移動局の信号送信電力を減少させる送信電力制御情報を前記複数の移動局に対して送信することを特徴とする基地局。
【請求項５】
前記基地局に対応するセル内の前記複数の移動局と無線通信により接続することを特徴とする請求項１乃至４に記載の基地局。
【請求項６】
移動局を備える移動通信システムにおける基地局であって、
前記移動局から受信信号を受信する受信手段と、
前記移動局に対して送信信号を送信する送信手段と、
制御手段と、を備え、
前記制御手段は、前記移動局から受信した受信信号に基づいて前記基地局における干渉を監視し、
前記干渉が増加した場合に、前記移動局の信号送信電力を減少させる送信電力制御情報を生成し、
前記送信手段は、前記移動局に対して前記送信電力制御情報を送信することを特徴とする基地局。
【請求項７】
移動局を備える移動通信システムにおける基地局であって、
前記移動局から受信信号を受信し、
前記移動局に対して送信信号を送信し、
前記移動局から受信した受信信号に基づいて前記基地局における干渉を監視し、
前記干渉が増加した場合に、前記移動局の信号送信電力を減少させる送信電力制御情報を前記移動局に対して送信することを特徴とする基地局。
【請求項８】
複数の移動局と基地局とを備える移動通信システムにおける移動局であって、
前記基地局に対して送信信号を送信する送信手段と、
前記基地局から受信信号を受信する受信手段と、
制御手段と、を備え、
前記受信手段は、前記基地局が前記複数の移動局から受信した信号に基づき監視する前記基地局における干渉が増加した場合に送信する前記移動局の信号送信電力を減少させる送信電力制御情報を受信し、
前記制御手段は、前記送信電力制御情報に基づいて、前記基地局に対して送信する前記送信信号の送信電力を減少させることを特徴とする移動局。
【請求項９】
複数の移動局と基地局とを備える移動通信システムにおける移動局であって、
前記基地局に対して送信信号を送信する送信手段と、
前記基地局から受信信号を受信する受信手段と、
制御手段と、を備え、
前記受信手段は、前記基地局が前記複数の移動局から受信した信号に基づき監視する前記複数の移動局に対応する複数の信号対雑音電力比が所定の値に満たない場合に送信する前記移動局の信号送信電力を減少させる送信電力制御情報を受信し、
前記制御手段は、前記送信電力制御情報に基づいて、前記基地局に対して送信する前記送信信号の送信電力を減少させることを特徴とする移動局。
【請求項１０】
複数の移動局と基地局とを備える移動通信システムにおける移動局であって、
前記基地局に対して送信信号を送信し、
前記基地局から受信信号を受信し、
前記基地局が前記複数の移動局から受信した信号に基づき監視する前記基地局における干渉が増加した場合に送信する前記移動局の信号送信電力を減少させる送信電力制御情報を受信し、
前記送信電力制御情報に基づいて、前記基地局に対して送信する前記送信信号の送信電力を減少させることを特徴とする移動局。
【請求項１１】
複数の移動局と基地局とを備える移動通信システムにおける移動局であって、
前記基地局に対して送信信号を送信し、
前記基地局から受信信号を受信し、
前記基地局が前記複数の移動局から受信した信号に基づき監視する前記複数の移動局に対応する複数の信号対雑音電力比が所定の値に満たない場合に送信する前記移動局の信号送信電力を減少させる送信電力制御情報を受信し、
前記送信電力制御情報に基づいて、前記基地局に対して送信する前記送信信号の送信電力を減少させることを特徴とする移動局。
【請求項１２】
前記移動局の属するセルに対応する前記基地局と無線通信により接続することを特徴とする請求項８乃至１１に記載の移動局。
【請求項１３】
移動局と基地局とを備える移動通信システムにおける移動局であって、
前記基地局に対して送信信号を送信する送信手段と、
前記基地局から受信信号を受信する受信手段と、
制御手段と、を備え、
前記受信手段は、前記基地局が前記移動局から受信した信号に基づき監視する前記基地局における干渉が増加した場合に送信する前記移動局の信号送信電力を減少させる送信電力制御情報を受信し、
前記制御手段は、前記送信電力制御情報に基づいて、前記基地局に対して送信する前記送信信号の送信電力を減少させることを特徴とする移動局。
【請求項１４】
移動局と基地局とを備える移動通信システムにおける前記移動局であって、
前記基地局に対して送信信号を送信し、
前記基地局から受信信号を受信し、
前記基地局が前記移動局から受信した信号に基づき監視する前記基地局における干渉が増加した場合に送信する前記移動局の信号送信電力を減少させる送信電力制御情報を受信し、
前記送信電力制御情報に基づいて、前記基地局に対して送信する前記送信信号の送信電力を減少させることを特徴とする移動局。
【請求項１５】
移動通信システムであって、
複数の移動局と、基地局と、を備え、
前記基地局は、
前記複数の移動局から受信信号を受信し、
前記複数の移動局に対して送信信号を送信し、
前記複数の移動局から受信した受信信号に基づいて前記基地局における干渉を監視し、
前記干渉が増加した場合に、前記複数の移動局の信号送信電力を減少させる送信電力制御情報を前記複数の移動局に対して送信し、
前記複数の移動局は、
前記基地局に対して信号を送信し、
前記送信電力制御情報を受信し、
前記送信電力制御情報に基づいて、前記基地局に対して送信する前記信号の送信電力を減少させることを特徴とする移動通信システム。
【請求項１６】
移動通信システムであって、
複数の移動局と、基地局と、を備え、
前記基地局は、
前記複数の移動局から受信信号を受信し、
前記複数の移動局に対して送信信号を送信し、
前記複数の移動局から受信した受信信号に基づいて前記複数の移動局それぞれに対応する複数の信号対雑音電力比を監視し、
前記複数の信号対雑音電力比が所定の値に満たない場合に、前記複数の移動局の信号送信電力を減少させる送信電力制御情報を前記複数の移動局に対して送信し、
前記複数の移動局は、
前記基地局に対して信号を送信し、
前記送信電力制御情報を受信し、
前記送信電力制御情報に基づいて、前記基地局に対して送信する前記信号の送信電力を減少させることを特徴とする移動通信システム。
【請求項１７】
前記基地局は、前記基地局に対応するセル内の前記複数の移動局と無線通信により接続することを特徴とする請求項１５又は１６に記載の移動通信システム。
【請求項１８】
移動通信システムであって、
移動局と、基地局と、を備え、
前記基地局は、
前記移動局から受信信号を受信し、
前記移動局に対して送信信号を送信し、
前記移動局から受信した受信信号に基づいて前記基地局における干渉を監視し、
前記干渉が増加した場合に、前記移動局の信号送信電力を減少させる送信電力制御情報を前記移動局に対して送信し、
前記移動局は、
前記基地局に対して信号を送信し、
前記送信電力制御情報を受信し、
前記送信電力制御情報に基づいて、前記基地局に対して送信する前記信号の送信電力を減少させることを特徴とする移動通信システム。
【請求項１９】
基地局及び複数の移動局を備える移動通信システムにおける前記複数の移動局の信号送信電力を制御する送信電力制御方法であって、
前記基地局が、
前記複数の移動局から受信信号を受信し、
前記複数の移動局に対して送信信号を送信し、
前記複数の移動局から受信した前記受信信号に基づいて前記基地局における干渉を監視し、
前記干渉が増加した場合に、前記複数の移動局のうちの移動局の信号送信電力を減少させる送信電力制御情報を前記複数の移動局に対して送信することを特徴とする方法。
【請求項２０】
基地局及び複数の移動局を備える移動通信システムにおける前記複数の移動局の信号送信電力を制御する送信電力制御方法であって、
前記基地局が、
前記複数の移動局から受信信号を受信し、
前記複数の移動局に対して送信信号を送信し、
前記複数の移動局から受信した前記受信信号に基づいて前記複数の移動局それぞれに対応する複数の信号対雑音電力比を監視し、
前記複数の信号対雑音電力比が所定の値に満たない場合に、前記複数の移動局の信号送信電力を減少させる送信電力制御情報を前記複数の移動局に対して送信することを特徴とする方法。
【発明の詳細な説明】
【技術分野】
【０００１】
本発明は送信電力制御システム及びそれに用いる送信電力制御方法に関し、特にディジタル移動通信方式で用いられる送信電力制御システムに関する。
【背景技術】
【０００２】
ディジタル移動通信方式では、受信品質を所望の値に保ちつつ、移動局の消費電力を抑え、また他局への不要な干渉を避けるために、送信電力制御が用いられている。特に、ＣＤＭＡ（Ｃｏｄｅ  Ｄｉｖｉｓｉｏｎ  Ｍｕｌｔｉｐｌｅ  Ａｃｃｅｓｓ：符号分割多重アクセス）方式では、多重方式特有の共通周波数干渉（他ユーザ干渉）が存在するため、送信電力制御が必須となる。従来の送信電力制御装置としては、例えば、特開平８−３２５１５号公報等に開示された技術がある（例えば特許文献１参照。）。
【０００３】
ＣＤＭＡ方式では一般に、基地局で受信復調された信号からＳ／Ｎ（Ｓｉｇｎａｌ−ｔｏ−ＮｏｉｓｅＰｏｗｅｒ  Ｒａｔｉｏ：信号対雑音電力比）を測定し、このＳ／Ｎが所望の受信品質を満たす値となるように、移動局に指示を送り、送信電力を逐次制御する閉ループ型送信電力制御が用いられている。ここで用いている雑音Ｎは熱雑音及び干渉信号を含んでいる。
【０００４】
従来の送信電力制御システムを図１２に示す。この図１２において、従来の送信電力制御システムは、基地局７と、移動局８−１〜８−Ｎとから構成されている。基地局７は受信機７１−１〜７１−Ｎと、復号器７２−１〜７２−Ｎと、Ｓ／Ｎ測定回路７３−１〜７３−Ｎと、ＴＰＣビット作成回路７４−１〜７４−Ｎと、多重化装置（ＭＵＸ）７５−１〜７５−Ｎと、送信機７６とから構成され、移動局８−１〜８−Ｎは受信機８１−１〜８１−Ｎと、復号器８２−１〜８２−Ｎと、ＴＰＣビット復号回路８３−１〜８３−Ｎと、送信電力決定回路８４−１〜８４−Ｎと、送信機８５−１〜８５−Ｎとから構成されている。
【０００５】
この送信電力制御システムにおいて、まず、基地局７では受信機７１−１〜７１−Ｎが各移動局８−１〜８−Ｎから送信されてきた上り情報信号＃１〜＃Ｎの復調を行う。受信機７１−１〜７１−Ｎで復調された受信信号は復号器７２−１〜７２−Ｎで復号される。
【０００６】
一方、Ｓ／Ｎ測定回路７３−１〜７３−Ｎは受信機７１−１〜７１−Ｎで復調された受信信号を用いてＳ／Ｎの測定を行う。ＴＰＣビット作成回路７４−１〜７４−ＮではＳ／Ｎ測定回路７３−１〜７３−Ｎの出力である各移動局８−１〜８−Ｎからの受信信号のＳ／Ｎと所望のＳ／Ｎとの比較を行い、移動局８−１〜８−Ｎに対する送信電力増加／減少を決定し、ＴＰＣビット（送信電力制御命令）を作成する。
【０００７】
ＴＰＣビット作成回路７４−１〜７４−Ｎで作成されたＴＰＣビットは多重化装置７５−１〜７５−Ｎによって下り情報信号＃１〜＃Ｎに多重化され、送信機７６によって送信される。
【０００８】
各移動局８−１〜８−Ｎでは受信機８１−１〜８１−Ｎで基地局７から送信されてきた信号の復調を行う。受信機８１−１〜８１−Ｎで復調された信号は復号器８２−１〜８２−Ｎで復号される。
【０００９】
一方、ＴＰＣビットはＴＰＣビット復号回路８３−１〜８３−Ｎで復号される。送信電力決定回路８４−１〜８４−ＮではＴＰＣビット復号回路８３−１〜８３−Ｎで復号されたＴＰＣビットに基づいて送信電力を決定する。送信機８５−１〜８５−Ｎは指定された電力によって情報信号を送信する。この時、要求される送信電力値が予め移動局８−１〜８−Ｎで定められた最大値を超える場合には、引き続き最大電力での送信を行う。
【００１０】
【特許文献１】特開平８−３２５１５号公報
【発明の開示】
【発明が解決しようとする課題】
【００１１】
上述した従来の送信電力制御システムでは、基地局において自セル内の同時接続移動局数の増加によって干渉が増加した場合、または他セル干渉が増加した場合、各移動局の受信品質が劣化するので、所望のＳ／Ｎを満足することが困難となるが、この状態の検出は行われていない。
【００１２】
この場合、上記公報に開示された技術では、移動局に対して常に送信電力の増加を指示する命令を送信するため、移動局からは予め設定された送信可能な最大電力で送信され続ける。これは移動局のバッテリ駆動時間を短くするばかりでなく、他セルに対する干渉を増加させることになり、加入者収容能力を減少させることとなる。
【００１３】
そこで、本発明の目的は上記の問題点を解消し、干渉の増加によって一定時間所要品質を満足しない移動局が多数存在する状態を検出することができる送信電力制御システム及びそれに用いる送信電力制御方法を提供することにある。
【００１４】
また、本発明の他の目的は、移動局における送信電力の低下によるバッテリ寿命の長大化と他セル干渉の低減による加入者収容能力の増加とを図ることができる送信電力制御システム及びそれに用いる送信電力制御方法を提供することにある。
【課題を解決するための手段】
【００１５】
本発明の基地局は、複数の移動局を備える移動通信システムにおける基地局であって、前記複数の移動局から受信信号を受信する受信手段と、前記複数の移動局に対して送信信号を送信する送信手段と、制御手段と、を備え、前記制御手段は、前記複数の移動局から受信した受信信号に基づいて前記基地局における干渉を監視し、前記干渉が増加した場合に、前記複数の移動局の信号送信電力を減少させる送信電力制御情報を生成し、前記送信手段は、前記複数の移動局に対して前記送信電力制御情報を送信することを特徴とする。
【００１６】
本発明の基地局は、複数の移動局を備える移動通信システムにおける基地局であって、前記複数の移動局から受信信号を受信する受信手段と、前記複数の移動局に対して送信信号を送信する送信手段と、制御手段と、を備え、前記制御手段は、前記複数の移動局から受信した受信信号に基づいて前記複数の移動局それぞれに対応する複数の信号対雑音電力比を監視し、前記複数の信号対雑音電力比が所定の値に満たない場合に、前記複数の移動局の信号送信電力を減少させる送信電力制御情報を生成し、前記送信手段は、前記複数の移動局に対して前記送信電力制御情報を送信することを特徴とする。
【００１７】
本発明の基地局は、複数の移動局を備える移動通信システムにおける基地局であって、前記複数の移動局から受信信号を受信し、前記複数の移動局に対して送信信号を送信し、前記複数の移動局から受信した受信信号に基づいて前記基地局における干渉を監視し、前記干渉が増加した場合に、前記複数の移動局の信号送信電力を減少させる送信電力制御情報を前記複数の移動局に対して送信することを特徴とする。
【００１８】
本発明の基地局は、複数の移動局を備える移動通信システムにおける基地局であって、前記複数の移動局から受信信号を受信し、前記複数の移動局に対して送信信号を送信し、前記複数の移動局から受信した受信信号に基づいて前記複数の移動局それぞれに対応する複数の信号対雑音電力比を監視し、前記複数の信号対雑音電力比が所定の値に満たない場合に、前記複数の移動局の信号送信電力を減少させる送信電力制御情報を前記複数の移動局に対して送信することを特徴とする。
【００１９】
また、前記基地局に対応するセル内の前記複数の移動局と無線通信により接続することが好ましい。
【００２０】
本発明の基地局は、移動局を備える移動通信システムにおける基地局であって、前記移動局から受信信号を受信する受信手段と、前記移動局に対して送信信号を送信する送信手段と、制御手段と、を備え、前記制御手段は、前記移動局から受信した受信信号に基づいて前記基地局における干渉を監視し、前記干渉が増加した場合に、前記移動局の信号送信電力を減少させる送信電力制御情報を生成し、前記送信手段は、前記移動局に対して前記送信電力制御情報を送信することを特徴とする。
【００２１】
本発明の基地局は、移動局を備える移動通信システムにおける基地局であって、前記移動局から受信信号を受信し、前記移動局に対して送信信号を送信し、前記移動局から受信した受信信号に基づいて前記基地局における干渉を監視し、前記干渉が増加した場合に、前記移動局の信号送信電力を減少させる送信電力制御情報を前記移動局に対して送信することを特徴とする。
【００２２】
本発明の移動局は、複数の移動局と基地局とを備える移動通信システムにおける移動局であって、前記基地局に対して送信信号を送信する送信手段と、前記基地局から受信信号を受信する受信手段と、制御手段と、を備え、前記受信手段は、前記基地局が前記複数の移動局から受信した信号に基づき監視する前記基地局における干渉が増加した場合に送信する前記移動局の信号送信電力を減少させる送信電力制御情報を受信し、前記制御手段は、前記送信電力制御情報に基づいて、前記基地局に対して送信する前記送信信号の送信電力を減少させることを特徴とする。
【００２３】
本発明の移動局は、複数の移動局と基地局とを備える移動通信システムにおける移動局であって、前記基地局に対して送信信号を送信する送信手段と、前記基地局から受信信号を受信する受信手段と、制御手段と、を備え、前記受信手段は、前記基地局が前記複数の移動局から受信した信号に基づき監視する前記複数の移動局に対応する複数の信号対雑音電力比が所定の値に満たない場合に送信する前記移動局の信号送信電力を減少させる送信電力制御情報を受信し、前記制御手段は、前記送信電力制御情報に基づいて、前記基地局に対して送信する前記送信信号の送信電力を減少させることを特徴とする。
【００２４】
本発明の移動局は、複数の移動局と基地局とを備える移動通信システムにおける移動局であって、前記基地局に対して送信信号を送信し、前記基地局から受信信号を受信し、前記基地局が前記複数の移動局から受信した信号に基づき監視する前記基地局における干渉が増加した場合に送信する前記移動局の信号送信電力を減少させる送信電力制御情報を受信し、前記送信電力制御情報に基づいて、前記基地局に対して送信する前記送信信号の送信電力を減少させることを特徴とする。
【００２５】
本発明の移動局は、複数の移動局と基地局とを備える移動通信システムにおける移動局であって、前記基地局に対して送信信号を送信し、前記基地局から受信信号を受信し、前記基地局が前記複数の移動局から受信した信号に基づき監視する前記複数の移動局に対応する複数の信号対雑音電力比が所定の値に満たない場合に送信する前記移動局の信号送信電力を減少させる送信電力制御情報を受信し、前記送信電力制御情報に基づいて、前記基地局に対して送信する前記送信信号の送信電力を減少させることを特徴とする。
【００２６】
また、前記移動局の属するセルに対応する前記基地局と無線通信により接続することが好ましい。
【００２７】
本発明の移動局は、移動局と基地局とを備える移動通信システムにおける移動局であって、前記基地局に対して送信信号を送信する送信手段と、前記基地局から受信信号を受信する受信手段と、制御手段と、を備え、前記受信手段は、前記基地局が前記移動局から受信した信号に基づき監視する前記基地局における干渉が増加した場合に送信する前記移動局の信号送信電力を減少させる送信電力制御情報を受信し、前記制御手段は、前記送信電力制御情報に基づいて、前記基地局に対して送信する前記送信信号の送信電力を減少させることを特徴とする。
【００２８】
本発明の移動局は、移動局と基地局とを備える移動通信システムにおける前記移動局であって、前記基地局に対して送信信号を送信し、
前記基地局から受信信号を受信し、前記基地局が前記移動局から受信した信号に基づき監視する前記基地局における干渉が増加した場合に送信する前記移動局の信号送信電力を減少させる送信電力制御情報を受信し、前記送信電力制御情報に基づいて、前記基地局に対して送信する前記送信信号の送信電力を減少させることを特徴とする。
【００２９】
本発明の移動通信システムは、移動通信システムであって、複数の移動局と、基地局と、を備え、前記基地局は、前記複数の移動局から受信信号を受信し、前記複数の移動局に対して送信信号を送信し、前記複数の移動局から受信した受信信号に基づいて前記基地局における干渉を監視し、前記干渉が増加した場合に、前記複数の移動局の信号送信電力を減少させる送信電力制御情報を前記複数の移動局に対して送信し、前記複数の移動局は、前記基地局に対して信号を送信し、前記送信電力制御情報を受信し、前記送信電力制御情報に基づいて、前記基地局に対して送信する前記信号の送信電力を減少させることを特徴とする。
【００３０】
本発明の移動通信システムは、移動通信システムであって、複数の移動局と、基地局と、を備え、前記基地局は、前記複数の移動局から受信信号を受信し、前記複数の移動局に対して送信信号を送信し、前記複数の移動局から受信した受信信号に基づいて前記複数の移動局それぞれに対応する複数の信号対雑音電力比を監視し、前記複数の信号対雑音電力比が所定の値に満たない場合に、前記複数の移動局の信号送信電力を減少させる送信電力制御情報を前記複数の移動局に対して送信し、前記複数の移動局は、前記基地局に対して信号を送信し、前記送信電力制御情報を受信し、前記送信電力制御情報に基づいて、前記基地局に対して送信する前記信号の送信電力を減少させることを特徴とする。
【００３１】
また、前記基地局は、前記基地局に対応するセル内の前記複数の移動局と無線通信により接続することが好ましい。
【００３２】
本発明の移動通信システムは、移動通信システムであって、移動局と、基地局と、を備え、前記基地局は、前記移動局から受信信号を受信し、前記移動局に対して送信信号を送信し、前記移動局から受信した受信信号に基づいて前記基地局における干渉を監視し、前記干渉が増加した場合に、前記移動局の信号送信電力を減少させる送信電力制御情報を前記移動局に対して送信し、前記移動局は、前記基地局に対して信号を送信し、前記送信電力制御情報を受信し、前記送信電力制御情報に基づいて、前記基地局に対して送信する前記信号の送信電力を減少させることを特徴とする。
【００３３】
本発明の送信電力制御方法は、基地局及び複数の移動局を備える移動通信システムにおける前記複数の移動局の信号送信電力を制御する送信電力制御方法であって、前記基地局が、前記複数の移動局から受信信号を受信し、前記複数の移動局に対して送信信号を送信し、前記複数の移動局から受信した前記受信信号に基づいて前記基地局における干渉を監視し、前記干渉が増加した場合に、前記複数の移動局のうちの移動局の信号送信電力を減少させる送信電力制御情報を前記複数の移動局に対して送信することを特徴とする。
【００３４】
本発明の送信電力制御方法は、基地局及び複数の移動局を備える移動通信システムにおける前記複数の移動局の信号送信電力を制御する送信電力制御方法であって、前記基地局が、前記複数の移動局から受信信号を受信し、前記複数の移動局に対して送信信号を送信し、前記複数の移動局から受信した前記受信信号に基づいて前記複数の移動局それぞれに対応する複数の信号対雑音電力比を監視し、前記複数の信号対雑音電力比が所定の値に満たない場合に、前記複数の移動局の信号送信電力を減少させる送信電力制御情報を前記複数の移動局に対して送信することを特徴とする。
【発明の効果】
【００３５】
本発明の送信電力制御システムによれば、Ｎ局（Ｎは正の整数）の移動局から基地局へ送信する情報信号の送信電力を制御するための送信電力制御システムにおいて、一定時間所要品質を満足しない移動局が多数存在する状態を検出することによって、干渉の増加によって一定時間所要品質を満足しない移動局が多数存在する状態を検出することができるという効果がある。
【００３６】
また、本発明の他の送信電力制御システムによれば、Ｎ局（Ｎは正の整数）の移動局から基地局へ送信する情報信号の送信電力を制御するための送信電力制御システムにおいて、Ｎ局の移動局における送信電力の増加を抑圧することによって、移動局における送信電力の低下によるバッテリ寿命の長大化と他セル干渉の低減による加入者収容能力の増加とを図ることができるという効果がある。
【発明を実施するための最良の形態】
【００３７】
次に、本発明の実施例について図面を参照して説明する。図１は本発明の一実施例による送信電力制御システムの構成を示すブロック図である。図１において、本発明の一実施例による送信電力制御システムは基地局１と、Ｎ台（Ｎは正の整数）の移動局２−１〜２−Ｎとから構成されている。
【００３８】
基地局１はＮ台の受信機１１−１〜１１−Ｎと、復号器１２−１〜１２−Ｎと、送信電力制御状態監視回路１３と、Ｓ／Ｎ測定回路１４−１〜１４−Ｎと、ＴＰＣビット作成回路１５−１〜１５−Ｎと、多重化装置（ＭＵＸ）１６−１〜１６−Ｎと、送信機１７とから構成されている。
【００３９】
移動局２−１〜２−Ｎはそれぞれ受信機２１−１〜２１−Ｎと、復号器２２−１〜２２−Ｎと、ＴＰＣビット復号回路２３−１〜２３−Ｎと、送信電力決定回路２４−１〜２４−Ｎと、送信機２５−１〜２５−Ｎとから構成されている。
【００４０】
基地局１のＮ台の受信機１１−１〜１１−Ｎはそれぞれ移動局２−１〜２−Ｎからの受信信号を個別に復調する。復号器１２−１〜１２−Ｎは受信機１１−１〜１１−Ｎの出力である復調信号から情報信号を復号する。
【００４１】
送信電力制御状態監視回路１３は受信機１１−１〜１１−Ｎ各々によって復調された復調信号と、Ｓ／Ｎ測定回路１４−１〜１４−Ｎ各々の出力である復調信号のＳ／Ｎ（Ｓｉｇｎａｌ−ｔｏ−Ｉｎｔｅｒｆｅｒｅｎｃｅ  Ｒａｔｉｏ）及びＴＰＣビット作成回路１５−１〜１５−Ｎ各々の出力であるＴＰＣビット（送信電力制御命令）とを入力とし、一定時間所要品質を満足しない移動局２−１〜２−Ｎが多数存在する状態を検出する。
【００４２】
Ｓ／Ｎ測定回路１４−１〜１４−Ｎは受信機１１−１〜１１−Ｎ各々の出力である復調信号を入力とし、復調信号のＳ／Ｎを測定する。ＴＰＣビット作成回路１５−１〜１５−ＮはＳ／Ｎ測定回路１４−１〜１４−Ｎの出力である復調信号のＳ／Ｎと所望のＳ／Ｎとを比較し、各移動局２−１〜２−Ｎに送信電力を指示するためのＴＰＣビットを作成する。多重化装置１６−１〜１６−Ｎは各移動局２−１〜２−Ｎに対するＴＰＣビットと、各移動局２−１〜２−Ｎに送信する情報信号とを多重化する。送信機１７は多重化装置１６−１〜１６−Ｎの出力である下り送信信号を多重化して送信する。
【００４３】
一方、移動局２−１〜２−Ｎにおいて、受信機２１−１〜２１−Ｎは基地局１が送信した信号から当該移動局２−１〜２−Ｎに対する信号を選別して受信する。復号器２２−１〜２２−Ｎは受信機２１−１〜２１−Ｎの出力である復調信号から下り情報信号を復号する。
【００４４】
ＴＰＣビット復号回路２３−１〜２３−Ｎは受信機２１−１〜２１−Ｎの出力である復調信号から各移動局２−１〜２−Ｎに送信されたＴＰＣビットを復号する。送信電力決定回路２４−１〜２４−ＮはＴＰＣビット復号回路２３−１〜２３−Ｎの出力であるＴＰＣビットに基づいて送信電力を決定する。送信機２５−１〜２５−Ｎは送信電力決定回路２４−１〜２４−Ｎによって決定された送信電力に基づいて上り情報信号を送信する。
【００４５】
図２は図１の基地局１の処理動作を示すフローチャートであり、図３〜図６は図１の送信電力制御状態監視回路１３の監視処理を示すフローチャートであり、図７は図１の移動局２−１〜２−Ｎの処理動作を示すフローチャートである。これら図１〜図７を参照して本発明の一実施例による送信電力制御システムの動作について説明する。
【００４６】
本発明の一実施例による送信電力制御システムにおいて、まず基地局１ではＮ台の受信機１１−１〜１１−Ｎが移動局２−１〜２−Ｎ（Ｎは同時接続ユーザ数を表す）が送信した上り情報信号＃１〜＃Ｎを各々選択して復調する（図２ステップＳ１）。
【００４７】
一般に、無線通信では伝送路で生じるビット誤りを訂正するために、情報信号に誤り訂正符号化を行い、受信機においてその復号処理を行う。復号器１２−１〜１２−Ｎ各々はこの誤り訂正復号機能を有し、上り情報信号＃１〜＃Ｎを復号する機能を有している。
【００４８】
一方、受信機１１−１〜１１−Ｎによって復調された受信信号はＳ／Ｎ測定回路１４−１〜１４−Ｎに入力される。Ｓ／Ｎ測定回路１４−１〜１４−Ｎでは復調信号のＳ／Ｎを測定し、ＴＰＣビット作成回路１５−１〜１５−Ｎに引き渡す（図２ステップＳ２）。ここで用いている雑音Ｎは熱雑音及び干渉信号を含んでいる。
【００４９】
ＴＰＣビット作成回路１５−１〜１５−ＮではＳ／Ｎ測定回路１４−１〜１４−Ｎの出力である各移動局２−１〜２−Ｎからの受信信号のＳ／Ｎと、送信電力制御目標のＳ／Ｎとの差分を計算し、この差分に基づいて送信電力制御量を決定してＴＰＣビットを作成する（図２ステップＳ３）。
【００５０】
送信電力制御状態監視回路１３は受信機１１−１〜１１−Ｎの出力と、Ｓ／Ｎ測定回路１４−１〜１４−Ｎの出力と、ＴＰＣビット作成回路１５−１〜１５−Ｎの出力とをそれぞれ入力とし、一定時間所要品質を満足しない移動局２−１〜２−Ｎが多数存在している状態を検出する（図２ステップＳ４）。
【００５１】
この状態を検出する方法としては図３〜図６に示す方法がある。まず、図３に示す方法の場合、送信電力制御状態監視回路１３はＳ／Ｎ測定回路１４−１〜１４−Ｎの出力である復調信号のＳ／Ｎを一定時間加算して平均値を算出し（図３ステップＳ１１）、その平均値が所望のＳ／Ｎを大きく下回る移動局２−１〜２−Ｎが多数存在すれば（図３ステップＳ１２）、一定時間所要品質を満足しない移動局２−１〜２−Ｎが多数存在するものとしてそれを通知する（図３ステップＳ１３）。
【００５２】
また、図４に示す方法の場合、送信電力制御状態監視回路１３はＴＰＣビット作成回路１５−１〜１５−Ｎの出力である各移動局２−１〜２−Ｎに対するＴＰＣビットを監視し（図４ステップＳ２１）、送信電力の増加を要求する命令が一定時間以上継続する移動局２−１〜２−Ｎが多数存在すれば（図４ステップＳ２２）、一定時間所要品質を満足しない移動局２−１〜２−Ｎが多数存在するものとしてそれを通知する（図４ステップＳ２３）。
【００５３】
さらに、図５に示す方法の場合、送信電力制御状態監視回路１３は受信機１１−１〜１１−Ｎによって復調された復調信号から基地局１における干渉の総電力を監視し（図５ステップＳ３１）、この総電力があるしきい値を超えると（図５ステップＳ３２）、一定時間所要品質を満足しない移動局２−１〜２−Ｎが多数存在するものとしてそれを通知する（図５ステップＳ３３）。
【００５４】
さらにまた、図６に示す方法の場合、送信電力制御状態監視回路１３は受信機１１−１〜１１−Ｎによって復調された復調信号から基地局１における干渉の総電力と同時接続された移動局２−１〜２−Ｎの数とを監視し（図６ステップＳ４１）、この比（干渉波総電力／同時接続移動局数）の変化の割合が急激に大きくなれば（図６ステップＳ４２）、一定時間所要品質を満足しない移動局２−１〜２−Ｎが多数存在するものとしてそれを通知する（図６ステップＳ４３）。
【００５５】
基地局１においてはこの検出結果に基づいて、ＴＰＣビット作成回路１５−１〜１５−Ｎにおいて作成されたＴＰＣビットが下りＴＰＣビット＃１〜＃Ｎとして多重化器１６−１〜１６−Ｎに入力され、多重化器１６−１〜１６−Ｎによって下り情報信号＃１〜＃Ｎにそれぞれ多重される。ＴＰＣビットを含む各移動局２−１〜２−Ｎに対する送信信号は送信機１７によって送信される（図２ステップＳ５）。尚、送信電力制御状態監視回路１３での監視結果は後述するように、移動局２−１〜２−Ｎにおける送信電力の制御に用いられる。
【００５６】
次に、移動局２−１〜２−Ｎにおいては受信機２１−１〜２１−Ｎが基地局１によって送信された信号から自局に対応する信号を選別して復調する（図７ステップＳ５１）。復調された情報信号は各々復号器２２−１〜２２−Ｎに入力されて誤り訂正復号が行われ、下り情報信号＃１〜＃Ｎを得る（図７ステップＳ５２）。
【００５７】
一方、受信機２１−１〜２１−Ｎの出力である復調信号はＴＰＣビット復号回路２３−１〜２３−Ｎに引き渡され、下り情報信号＃１〜＃Ｎに多重化された下りＴＰＣビット＃１〜＃Ｎを復号する（図７ステップＳ５３）。
【００５８】
ＴＰＣビット復号回路２３−１〜２３−Ｎで復号された下りＴＰＣビット＃１〜＃Ｎは送信電力決定回路２４−１〜２４−Ｎに引き渡される。送信電力決定回路２４−１〜２４−ＮではＴＰＣビット復号回路２３−１〜２３−Ｎで復号されたＴＰＣビット＃１〜＃Ｎに基づいて各移動局２−１〜２−Ｎが送信すべき電力を決定する（図７ステップＳ５４）。送信機２５−１〜２５−Ｎは送信電力決定回路２４−１〜２４−Ｎが決定した送信電力に基づいて上り情報信号＃１〜＃Ｎを各々送信する（図７ステップＳ５５）。
【００５９】
このように、送信電力制御状態監視回路１３が受信機１１−１〜１１−Ｎの出力と、Ｓ／Ｎ測定回路１４−１〜１４−Ｎの出力と、ＴＰＣビット作成回路１５−１〜１５−Ｎの出力とを基に一定時間所要品質を満足しない移動局２−１〜２−Ｎが多数存在することを検出することによって、干渉の増加によって一定時間所要品質を満足しない移動局２−１〜２−Ｎが多数存在する状態を検出することができ、それによって移動局２−１〜２−Ｎにおける送信電力の低下によるバッテリ寿命の長大化と他セル干渉の低減による加入者収容能力の増加とを図るための対策をとることができる。
【００６０】
図８は本発明の他の実施例による送信電力制御システムの構成を示すブロック図である。図８において、本発明の他の実施例による送信電力制御システムは、基地局３と、Ｎ台（Ｎは正の整数）の移動局４−１〜４−Ｎとから構成されている。基地局３は受信機３１−１〜３１−Ｎと、復号器３２−１〜３２−Ｎと、Ｓ／Ｎ測定回路３３−１〜３３−Ｎと、ＴＰＣビット作成回路３４−１〜３４−Ｎと、送信電力抑制回路３５と、多重化装置（ＭＵＸ）３６−１〜３６−Ｎと、送信機３７とから構成され、移動局４−１〜４−Ｎ各々は受信機４１−１〜４１−Ｎと、復号器４２−１〜４２−Ｎと、ＴＰＣビット復号回路４３−１〜４３−Ｎと、送信電力決定回路４４−１〜４４−Ｎと、送信機４５−１〜４５−Ｎとから構成されている。
【００６１】
基地局３の受信機３１−１〜３１−Ｎは移動局４−１〜４−Ｎからの受信信号を個別に復調する。復号器３２−１〜３２−Ｎは受信機３１−１〜３１−Ｎの出力である復調信号から情報信号を復号する。
【００６２】
Ｓ／Ｎ測定回路３３−１〜３３−Ｎは受信機３１−１〜３１−Ｎの出力である復調信号を入力とし、復調信号のＳ／Ｎ（Ｓｉｇｎａｌ−ｔｏ−Ｉｎｔｅｒｆｅｒｅｎｃｅ  Ｒａｔｉｏ）を測定する。
【００６３】
ＴＰＣビット作成回路３４−１〜３４−ＮはＳ／Ｎ測定回路３３−１〜３３−Ｎの出力である復調信号のＳ／Ｎと所望のＳ／Ｎとを比較し、各移動局４−１〜４−Ｎに送信電力を指示するためのＴＰＣビット（送信電力制御命令）を作成する。
【００６４】
送信電力抑制回路３５はＴＰＣビット作成回路３４−１〜３４−Ｎの出力である各移動局４−１〜４−Ｎに対するＴＰＣビットを入力とし、各移動局４−１〜４−Ｎの送信電力の増加を抑圧する。多重化装置３６−１〜３６−Ｎはそれぞれ各移動局４−１〜４−Ｎに対する下りＴＰＣビット＃１〜＃Ｎと、各移動局４−１〜４−Ｎに送信する下り情報信号＃１〜＃Ｎとを多重化し、送信機３７は多重化装置３６−１〜３６−Ｎの出力である下り送信信号を多重化して送信する。
【００６５】
移動局４−１〜４−Ｎの受信機４１−１〜４１−Ｎはそれぞれ基地局３によって送信されてくる信号から自局に対する信号を選別して受信する。復号器４２−１〜４２−Ｎは受信機４１−１〜４１−Ｎの出力である復調信号から下り情報信号＃１〜＃Ｎを復号する。
【００６６】
ＴＰＣビット復号回路４３−１〜４３−Ｎは受信機４１−１〜４１−Ｎの出力である復調信号から自局に送信されてきたＴＰＣビットを復号する。送信電力決定回路４４−１〜４４−ＮはＴＰＣビット復号回路４３−１〜４３−Ｎの出力であるＴＰＣビットに基づいて送信電力を決定する。送信機４５−１〜４５−Ｎは送信電力決定回路４４−１〜４４−Ｎによって決定された送信電力に基づいて上り情報信号＃１〜＃Ｎを送信する。
【００６７】
図９は図８の基地局３の処理動作を示すフローチャートである。これら図８及び図９を参照して本発明の他の実施例による送信電力制御システムの処理動作について説明する。
【００６８】
まず、基地局３のＮ台の受信機３１−１〜３１−Ｎは移動局４−１〜４−Ｎ（Ｎは同時接続ユーザ数を表す）が送信した上り情報信号＃１〜＃Ｎを各々選択して復調する（図９ステップＳ６１）。
【００６９】
一般に、無線通信では伝送路で生じるビット誤りを訂正するために情報信号に対して誤り訂正符号化を行い、受信機３１−１〜３１−Ｎにおいてその復号処理を行う。復号器３２−１〜３２−Ｎは各々この誤り訂正復号機能を有し、上り情報信号＃１〜＃Ｎを復号する。
【００７０】
一方、受信機３１−１〜３１−Ｎによって復調された受信信号はＳ／Ｎ測定回路３３−１〜３３−Ｎに入力される。Ｓ／Ｎ測定回路３３−１〜３３−Ｎでは復調信号のＳ／Ｎを測定し（図９ステップＳ６２）、ＴＰＣビット作成回路３４−１〜３４−Ｎに引き渡す。ここで用いている雑音Ｎは熱雑音及び干渉信号を含んでいる。
【００７１】
ＴＰＣビット作成回路３４−１〜３４−ＮではＳ／Ｎ測定回路３３−１〜３３−Ｎの出力である各移動局４−１〜４−Ｎからの受信信号のＳ／Ｎと、送信電力制御目標Ｓ／Ｎとの差分を計算し、この差分に基づいて送信電力制御量を決定してＴＰＣビットを作成する（図９ステップＳ６３）。
【００７２】
ＴＰＣビット作成回路３４−１〜３４−Ｎにおいて作成されたＴＰＣビットは送信電力抑制回路３５に入力される。送信電力抑制回路３５は本発明の一実施例において検出されているような送信電力制御状態の監視結果に基づいて、ＴＰＣビット作成回路３４−１〜３４−Ｎで参照される送信電力制御目標のＳ／Ｎを低く設定して各移動局４−１〜４−Ｎの送信電力を抑圧する（図９ステップＳ６４）。
【００７３】
送信電力抑制回路３５の出力である下りＴＰＣビット＃１〜＃Ｎは多重化器３６−１〜３６−Ｎによって下り情報信号＃１〜＃Ｎにそれぞれ多重される。ＴＰＣビットを含む各ユーザに対する送信信号は送信機３７によって送信される（図９ステップＳ６５）。
【００７４】
移動局４−１〜４−Ｎにおける動作は上述した図７の処理動作と同様であり、基地局３によって送信された信号から自局に対応する信号を選別して復調し、その復調信号から下りＴＰＣビット＃１〜＃Ｎが復号され、その復号された下りＴＰＣビット＃１〜＃Ｎに基づいて各移動局４−１〜４−Ｎが送信すべき電力が決定され、上り情報信号＃１〜＃Ｎが各々送信される。
【００７５】
このように、送信電力抑制回路３５で各移動局４−１〜４−Ｎの送信電力を抑圧することによって、不要な電力を輻射しないため、移動局４−１〜４−Ｎのバッテリ駆動時間を長くすることができる。
【００７６】
また、送信電力抑制回路３５で各移動局４−１〜４−Ｎの送信電力を抑圧し、不要な電力を輻射しないので、他セルに対して与える干渉を低減することができ、システム容量を増加させることができる。
【００７７】
図１０は本発明の別の実施例による送信電力制御システムの構成を示すブロック図である。図１０において、本発明の別の実施例による送信電力制御システムは、基地局５と、Ｎ台（Ｎは正の整数）の移動局６−１〜６−Ｎとから構成されている。基地局５は受信機５１−１〜５１−Ｎと、復号器５２−１〜５２−Ｎと、送信電力制御状態監視回路５３と、Ｓ／Ｎ測定回路５４−１〜５４−Ｎと、ＴＰＣビット作成回路５５−１〜５５−Ｎと、送信電力抑圧回路５６と、多重化装置５７−１〜５７−Ｎと、送信機５８とから構成され、移動局６−１〜６−Ｎ各々は受信機６１−１〜６１−Ｎと、復号器６２−１〜６２−Ｎと、ＴＰＣビット復号回路６３−１〜６３−Ｎと、送信電力決定回路６４−１〜６４−Ｎと、送信機６５−１〜６５−Ｎとから構成されている。
【００７８】
基地局５のＮ台の受信機５１−１〜５１−Ｎはそれぞれ移動局６−１〜６−Ｎからの受信信号を個別に復調する。復号器５２−１〜５２−Ｎは受信機５１−１〜５１−Ｎの出力である復調信号から情報信号を復号する。
【００７９】
送信電力制御状態監視回路５３は受信機５１−１〜５１−Ｎにより復調された復調信号とＳ／Ｎ測定回路５４−１〜５４−Ｎの出力である復調信号のＳ／ＮとＴＰＣビット作成回路５５−１〜５５−Ｎの出力であるＴＰＣビットとを入力とし、一定時間所要品質を満足しない移動局６−１〜６−Ｎが多数存在する状態を検出する。
【００８０】
Ｓ／Ｎ測定回路５４−１〜５４−Ｎは受信機５１−１〜５１−Ｎの出力である復調信号を入力とし、復調信号のＳ／Ｎを測定する。ＴＰＣビット作成回路５５−１〜５５−ＮはＳ／Ｎ測定回路５４−１〜５４−Ｎの出力である復調信号のＳ／Ｎと所望のＳ／Ｎとを比較し、各移動局６−１〜６−Ｎに送信電力を指示するためのＴＰＣビットを作成する。
【００８１】
送信電力制御回路５６は送信電力制御状態監視回路５３の出力及びＴＰＣビット作成回路５５−１〜５５−Ｎの出力である各移動局６−１〜６−Ｎに対するＴＰＣビットを入力とし、送信電力の増加を抑圧する。多重化装置５７−１〜５７−Ｎは各移動局６−１〜６−Ｎに対するＴＰＣビットと各移動局６−１〜６−Ｎに送信する下り情報信号＃１〜＃Ｎを多重化する。送信機５８は多重化装置５７−１〜５７−Ｎの出力である下り送信信号を多重化して送信する。
【００８２】
移動局６−１〜６−Ｎの受信機６１−１〜６１−Ｎは基地局５が送信した信号から自局に対する信号を選別して受信する。復号器６２−１〜６２−Ｎは受信機６１−１〜６１−Ｎの出力である復調信号から下り情報信号＃１〜＃Ｎを復号する。
【００８３】
ＴＰＣビット復号回路６３−１〜６３−Ｎは受信機６１−１〜６１−Ｎの出力である復調信号から自局に送信されたＴＰＣビットを復号する。送信電力決定回路６４−１〜６４−ＮはＴＰＣビット復号回路６３−１〜６３−Ｎの出力であるＴＰＣビットに基づいて送信電力を決定する。送信機６５−１〜６５−Ｎは送信電力決定回路６４−１〜６４−Ｎによって決定された送信電力に基づいて上り情報信号＃１〜＃Ｎを送信する。
【００８４】
図１１は図１０の基地局５の処理動作を示すフローチャートである。これら図１０及び図１１を参照して本発明の別の実施例による送信電力制御システムの処理動作について説明する。
【００８５】
まず、基地局５ではＮ台の受信機５１−１〜５１−Ｎは移動局６−１〜６−Ｎ（Ｎは同時接続ユーザ数を表す）が送信した上り情報信号＃１〜＃Ｎを各々選択して復調する（図１１ステップＳ７１）。
【００８６】
一般に、無線通信では伝送路で生じるビット誤りを訂正するために情報信号に対して誤り訂正符号化を行い、受信機５１−１〜５１−Ｎにおいてその復号処理を行う。復号器５２−１〜５２−Ｎは各々この誤り訂正復号機能を有し、上り情報信号＃１〜＃Ｎを復号する。
【００８７】
一方、受信機５１−１〜５１−Ｎによって復調された受信信号はＳ／Ｎ測定回路５４−１〜５４−Ｎに入力される。Ｓ／Ｎ測定回路５４−１〜５４−Ｎでは復調信号のＳ／Ｎを測定し（図１１ステップＳ７２）、ＴＰＣビット作成回路５５−１〜５５−Ｎに引き渡す。ここで用いている雑音Ｎは熱雑音及び干渉信号を含んでいる。
【００８８】
ＴＰＣビット作成回路５５−１〜５５−ＮではＳ／Ｎ測定回路５４−１〜５４−Ｎの出力である各移動局６−１〜６−Ｎからの受信信号のＳ／Ｎと送信電力制御目標のＳ／Ｎとの差分を計算し、この差分に基づいて送信電力制御量を決定してＴＰＣビットを作成する（図１１ステップＳ７３）。
【００８９】
送信電力制御状態監視回路５３は受信機５１−１〜５１−Ｎの出力とＳ／Ｎ測定回路５４−１〜５４−Ｎの出力とＴＰＣビット作成回路５５−１〜５５−Ｎの出力とを入力とし、一定時間所要品質を満足しない移動局６−１〜６−Ｎが多数存在している状態を検出する（図１１ステップＳ７４）。この状態を検出する方法としては上述したように、図３〜図６に示す方法があり、これらの方法についてはすでに説明しているので、ここではその説明を省略する。
【００９０】
ＴＰＣビット作成回路５５−１〜５５−Ｎにおいて作成されたＴＰＣビットは送信電力抑制回路５６に入力される。送信電力抑制回路５６は送信電力制御状態監視回路５３の監視結果に基づいてＴＰＣビット作成回路５５−１〜５５−Ｎが出力する送信電力増加命令を所定の回数だけ送信電力減少命令に変更することによって各移動局６−１〜６−Ｎの送信電力を抑圧する（図１１ステップＳ７５）。
【００９１】
尚、送信電力抑制回路５６は上述した図８に示す送信電力抑制回路３５と同様に、ＴＰＣビット作成回路３４−１〜３４−Ｎで参照される送信電力制御目標のＳ／Ｎを低く設定して各移動局４−１〜４−Ｎの送信電力を抑圧する方法を用いることも可能である。同様に、送信電力抑制回路３５が送信電力抑制回路５６による方法を用いることも可能である。
【００９２】
送信電力抑制回路５６の出力である下りＴＰＣビット＃１〜＃Ｎは多重化器５７−１〜５７−Ｎによって下り情報信号＃１〜＃Ｎにそれぞれ多重される。ＴＰＣビットを含む各ユーザに対する送信信号は送信機５８によって送信される（図１１ステップＳ７６）。
【００９３】
移動局６−１〜６−Ｎにおける動作は上述した図７の処理動作と同様であり、基地局５によって送信された信号から自局に対応する信号を選別して復調し、その復調信号から下りＴＰＣビット＃１〜＃Ｎが復号され、その復号された下りＴＰＣビット＃１〜＃Ｎに基づいて各移動局６−１〜６−Ｎが送信すべき電力が決定され、上り情報信号＃１〜＃Ｎが各々送信される。
【００９４】
このように、送信電力抑制回路５６で各移動局６−１〜６−Ｎの送信電力を抑圧することによって、不要な電力を輻射しないため、移動局６−１〜６−Ｎのバッテリ駆動時間を長くすることができる。
【００９５】
また、送信電力抑制回路５６で各移動局６−１〜６−Ｎの送信電力を抑圧し、不要な電力を輻射しないので、他セルに対して与える干渉を低減することができ、システム容量を増加させることができる。
【００９６】
さらに、送信電力制御状態監視回路５３が一定時間所要品質を満足しない移動局が多数存在することを検出した時に、送信電力抑圧回路５６が各移動局６−１〜６−Ｎの送信電力を抑圧して同時接続局数を保つ動作を行うことで、同時接続局数が多くなり、干渉が増加した場合でも送信電力制御が安定に動作し、さらに同時接続局数を増やすことができる。
【図面の簡単な説明】
【００９７】
【図１】本発明の一実施例による送信電力制御システムの構成を示すブロック図である。
【図２】図１の基地局の処理動作を示すフローチャートである。
【図３】図１の送信電力制御状態監視回路の監視処理を示すフローチャートである。
【図４】図１の送信電力制御状態監視回路の監視処理を示すフローチャートである。
【図５】図１の送信電力制御状態監視回路の監視処理を示すフローチャートである。
【図６】図１の送信電力制御状態監視回路の監視処理を示すフローチャートである。
【図７】図１の移動局の処理動作を示すフローチャートである。
【図８】本発明の他の実施例による送信電力制御システムの構成を示すブロック図である。
【図９】図８の基地局の処理動作を示すフローチャートである。
【図１０】本発明の別の実施例による送信電力制御システムの構成を示すブロック図である。
【図１１】図１０の基地局の処理動作を示すフローチャートである。
【図１２】従来例による送信電力制御システムの構成を示すブロック図である。
【符号の説明】
【００９８】
１，３，５：基地局
２−１〜２−Ｎ，４−１〜４−Ｎ，６−１〜６−Ｎ：移動局
１１−１〜１１−Ｎ，２１−１〜２１−Ｎ，３１−１〜３１−Ｎ，４１−１〜４１−Ｎ５１−１〜５１−Ｎ，６１−１〜６１−Ｎ：受信機
１２−１〜１２−Ｎ，２２−１〜２２−Ｎ，３２−１〜３２−Ｎ，４２−１〜４２−Ｎ，５２−１〜５２−Ｎ，６２−１〜６２−Ｎ：復号器
１３，５３：送信電力制御状態監視回路
１４−１〜１４−Ｎ，３３−１〜３３−Ｎ，５４−１〜５４−Ｎ：Ｓ／Ｎ測定回路
１５−１〜１５−Ｎ，３４−１〜３４−Ｎ，５５−１〜５５−Ｎ：ＴＰＣビット作成回路
１６−１〜１６−Ｎ，３６−１〜３６−Ｎ，５７−１〜５７−Ｎ：多重化装置
１７，２５−１〜２５−Ｎ，３７，４５−１〜４５−Ｎ，５８，６５−１〜６５−Ｎ：送信機
２３−１〜２３−Ｎ，４３−１〜４３−Ｎ，６３−１〜６３−Ｎ：ＴＰＣビット復号回路
２４−１〜２４−Ｎ，４４−１〜４４−Ｎ，６４−１〜６４−Ｎ：送信電力決定回路
３５，５６：送信電力抑制回路
【図１】
2004236354.tif 000003
【図２】
2004236354.tif 000004
【図３】
2004236354.tif 000005
【図４】
2004236354.tif 000006
【図５】
2004236354.tif 000007
【図６】
2004236354.tif 000008
【図７】
2004236354.tif 000009
【図８】
2004236354.tif 000010
【図９】
2004236354.tif 000011
【図１０】
2004236354.tif 000012
【図１１】
2004236354.tif 000013
【図１２】
2004236354.tif 000014